(57)【要約】      （修正有）【課題】送話音声が頭切れになっていることを送話者が確認できる無線機を提供する。【解決手段】無線機を送信状態にするＰＴＴスイッチ１０１と、音声が入力されると音声信号を出力するマイク１０４と、前記マイク１０４から出力される音声信号の有無を検出する音声検出部１１０と、前記マイク１０４から出力される音声信号に基づき送信出力信号を生成する変調部１０６と、前記変調部１０６から出力される送信出力信号に基づき、当該無線機の送信状態の有無を検出する送信状態検出部１０８と、前記音声検出部１１０で音声信号有が検出され、かつ前記送信状態検出部１０８で送信状態無が検出された場合に、送話の頭切れが発生したと判定する制御部１０２と、を備える。【選択図】図１
2013066090.tif 000002
【特許請求の範囲】
【請求項１】
無線機を送信状態にする送信スイッチと、
音声が入力されると音声信号を出力するマイクと、
前記マイクから出力される音声信号の有無を検出する音声検出部と、
前記マイクから出力される音声信号に基づき送信出力信号を生成する変調部と、
前記変調部から出力される送信出力信号に基づき、当該無線機の送信状態の有無を検出する送信状態検出部と、
前記音声検出部で音声信号有が検出され、かつ前記送信状態検出部で送信状態無が検出された場合に、送話の頭切れが発生したと判定する制御部と、
を備えることを特徴とする無線機。
【発明の詳細な説明】
【技術分野】
【０００１】
本発明は、音声を無線送信する無線機に関し、例えばＰＴＴ（PUSH TO TALK）スイッチを押下すると送信状態になり、ＰＴＴスイッチ押下中にマイクから入力した音声を無線送信することのできる無線機に関するものである。
【背景技術】
【０００２】
従来の無線機送信部の構成例を説明する。図４は従来例を示す無線機送信部のブロック構成図である。
図４において、４０１は、無線機を送信状態にする機能を持つＰＴＴスイッチである。４０４は、音声が入力されると音声信号を出力するマイクである。４０５は、マイク４０４からの音声信号Ｓ４０４を波形整形する信号処理部である。４０６は、信号処理部４０５で波形整形した信号を、搬送波と合成して送信出力信号を生成する変調部である。４０７は、変調部４０６からの送信出力信号を増幅するとともに不要な周波数成分を取り除く高周波部である。４０８は、送信出力の有無を検波して出力する機能を有する送信出力検波回路である。４０９は、高周波部からの送信出力信号を無線により放射するアンテナである。４０２は、信号処理部４０５や変調部４０６等の無線機の各構成部を制御する制御部である。
【０００３】
従来の無線機送信部の動作を説明する。
無線機の使用者は、通話を行うとき、ＰＴＴスイッチ４０１を押下しながらマイク４０４から音声を入力する。ＰＴＴスイッチ４０１が押下されると制御部４０２は、ＰＴＴスイッチ４０１が押下状態にあることをＰＴＴ信号Ｓ４０１により検出し、上述の無線機送信部を送信状態にするよう制御する。
詳しくは、ＰＴＴスイッチ４０１が押下されると、待受け状態から送信状態への切替が開始され、後述する送信立上り時間Ｔ１（ｍｓ）後に無線機が送信状態になると、送信出力検波回路４０８から出力される送信出力検波信号Ｓ４０８が立上る。
【０００４】
送信状態において、マイク４０４から入力された音声信号Ｓ４０４は信号処理部４０５で波形整形され、変調部４０６で搬送波と合成されて送信出力信号が生成される。生成された送信出力信号は、高周波部４０７で適切な送信電力へ増幅されるとともに不要な周波数成分が取り除かれ、アンテナ４０９から電波として放射される。
また、変調部４０６からの送信出力信号の一部は、高周波部４０７で分波されて送信出力検波回路４０８に入力される。送信出力検波回路４０８は、送信出力の検出結果（送信出力の有無）を示す送信出力検波信号Ｓ４０８を制御部４０２へ入力する。
【０００５】
次に、従来の無線機において、送話時に頭切れが発生する場合、つまり送話時において送話内容の先頭部分が送信されない事象が発生する場合を説明する。図５は、ＰＴＴスイッチ４０１が押下される前にマイク４０４から音声信号が入力され、送話時に頭切れが発生する場合の各信号波形を示す。
【０００６】
図５において、５０１は、ＰＴＴ信号Ｓ４０１の立上り、つまりＰＴＴスイッチ４０１が押下された時点を示す。５０２は、送信出力検波信号Ｓ４０８の立上り、つまり、無線機が送信状態になり、送信出力検波回路４０８からの検出結果が送信出力有となった時点を示す。５０３は、音声信号Ｓ４０４の立上り、つまりマイク４０４へ音声が入力開始された時点を示す。
ＰＴＴスイッチ４０１が押下されＰＴＴ信号Ｓ４０１の立上り５０１を検出すると、制御部４０２は、待受け状態から送信状態への切替を開始し、送信周波数への周波数の固定等の送信準備が完了するまでの送信立上り時間Ｔ１（ｍｓ）後に、無線機を送信状態にする。送信状態になると、送信出力検波信号Ｓ４０８が立上る。
【０００７】
このとき、図５に示すとおり、ＰＴＴスイッチ４０１が押下される前に音声信号Ｓ４０４が出力されると、音声信号Ｓ４０４の立上り５０３からＰＴＴ信号Ｓ４０１の立上り５０１までの期間Ｔ２（ｍｓ）と、ＰＴＴ信号Ｓ４０１の立上り５０１から送信出力検波信号Ｓ４０８の立上り５０２までの期間Ｔ１（ｍｓ）を合計したＴ３（ｍｓ）の期間の音声信号Ｓ４０４は送信されず頭切れとなり、受信側で音声を聞くことができない。
【０００８】
また、送信側では、受信側で出力される音声を聞くことができないため、頭切れになっていることを送話者が確認する手段が無く、送話者が頭切れの発生に気がつかない間は、同じ要領で無線機を操作してしまい頭切れを繰り返すことになる。
送話時の頭切れを防ぐ手段としては、送信可能な状態であることを無線機に表示するようにし、該表示により、送話者がＰＴＴスイッチを押下した後で送信可能な状態を確認してから、送話を開始する方法が考えられるが、送話までの動作が遅くなり、また煩わしいという欠点がある。
【０００９】
下記の特許文献１には、受信機において、音声の復調系回路とは別に受信信号を検出するＲＳＳＩ回路を設け、待ち受け時には、復調系回路の動作を停止して電力の消費を節減し、受信時には、ＲＳＳＩ回路によって受信信号を検出すると復調系回路を動作させて通話の頭切れをなくす技術が開示されているが、送信側において通話の頭切れをなくすことは開示されていない。
【先行技術文献】
【特許文献】
【００１０】
【特許文献１】特開平６−２７６１１４号公報
【発明の概要】
【発明が解決しようとする課題】
【００１１】
上述したように、従来の無線機においては、送信側において送話音声が頭切れになっていることを送話者が確認する手段が無く、送信側で頭切れを繰り返す恐れがある。
本発明は、このような従来の課題を解決するために為されたもので、送話音声が頭切れになっていることを送話者が認識できる無線機を提供することを目的とする。
【課題を解決するための手段】
【００１２】
本発明の無線機においては、音声信号の有無、送信状態の有無、ＰＴＴスイッチ押下の有無の状態遷移が、所定の状態遷移の条件と一致した場合に、送話時の頭切れと判定し、送話者に知らせるものである。あるいは、音声信号の有無、送信状態の有無、ＰＴＴスイッチ押下の有無の状態が、所定の状態の条件と一致した場合に、送話時の頭切れと判定し、送話者に知らせるものである。
上記課題を解決するための、本願発明の無線通信システムの代表的な構成は、次のとおりである。すなわち、
無線機を送信状態にする送信スイッチと、
音声が入力されると音声信号を出力するマイクと、
前記マイクから出力される音声信号の有無を検出する音声検出部と、
前記マイクから出力される音声信号に基づき送信出力信号を生成する変調部と、
前記変調部から出力される送信出力信号に基づき、当該無線機の送信状態の有無を検出する送信状態検出部と、
前記音声検出部で音声信号有が検出され、かつ前記送信状態検出部で送信状態無が検出された場合に、送話の頭切れが発生したと判定する制御部と、
を備えることを特徴とする無線機。
【発明の効果】
【００１３】
送話音声が頭切れになっていることを送話者が確認することができる。
【図面の簡単な説明】
【００１４】
【図１】本発明の実施形態に係る無線機送信部のブロック構成図である。
【図２】本発明の実施形態においてＰＴＴスイッチが押下される前に音声が入力された場合の各信号波形を示す図である。
【図３】本発明の実施形態においてＰＴＴスイッチが押下された後、送信出力が立上る前に音声が入力された場合の各信号波形を示す図である。
【図４】従来例に係る無線機送信部のブロック構成図である。
【図５】従来例においてＰＴＴスイッチが押下される前に音声が入力された場合の各信号波形を示す図である。
【発明を実施するための形態】
【００１５】
以下、本発明の実施形態について図１〜図３を用いて説明する。図１は、本発明の実施形態に係る無線機送信部のブロック構成図である。
図１において、１０１は、無線機を送信状態にする送信スイッチとしての機能を持つＰＴＴスイッチである。１０４は、音声が入力されると音声信号Ｓ１０４を出力するマイクである。１０５は、マイク１０４からの音声信号Ｓ１０４を波形整形する信号処理部である。１０６は、信号処理部１０５で波形整形した信号を、搬送波と合成して送信出力信号を生成する変調部である。つまり、変調部１０６は、マイク１０４から出力される音声信号に基づき送信出力信号を生成する。１０７は、変調部１０６からの送信出力信号を増幅するとともに不要な周波数成分を取り除く高周波部である。１０８は、送信出力の有無を検波して送信出力検波信号Ｓ１０８を出力する機能を有する送信出力検波回路である。つまり、送信出力検波回路１０８は、変調部１０６から出力される送信出力信号に基づき、当該無線機の送信状態の有無を検出する送信状態検出部である。１０９は、高周波部１０７からの送信出力信号を無線により放射するアンテナである。
【００１６】
１１０は、音声信号Ｓ１０４の有無を検出し、音声信号Ｓ１０４の有無に応じて音声検出信号Ｓ１１０を出力する機能を有する音声検出回路である。つまり、音声検出回路１１０は、マイク１０４から出力される音声信号の有無を検出する音声検出部である。１１１は、各種データ等を表示するためのＬＣＤ（Liquid Crystal Display）等から構成される表示部である。１１２は、音声信号等を音に変換して出力するスピーカである。１０３は、各種データ等を記憶する記憶部である。
１０２は、信号処理部１０５や変調部１０６等の無線機の各構成部を制御する制御部である。制御部１０２は、ハードウエア構成としては、ＣＰＵ（Central Processing Unit）と制御部１０２の動作プログラム等を格納するメモリ（不図示）を備えており、ＣＰＵは、この動作プログラムに従って動作する。
【００１７】
本実施形態の無線機送信部の動作を説明する。
無線機の使用者は通話を行うとき、従来例で説明したように、ＰＴＴスイッチ１０１を押下しながらマイク１０４から音声を入力する。ＰＴＴスイッチ１０１が押下されると、ＰＴＴ信号Ｓ１０１が制御部１０２に入力される。制御部１０２は、ＰＴＴ信号Ｓ１０１によりＰＴＴスイッチ１０１が押下状態にあることを検出し、上述の無線機送信部を送信状態にするよう制御する。
詳しくは、ＰＴＴスイッチ１０１が押下されると、待受け状態から送信状態への切替が開始され、後述する送信立上り時間Ｔ１（ｍｓ）後に無線機が送信状態になると、送信出力検波回路１０８から出力される送信出力検波信号Ｓ１０８が立上る。
また、制御部１０２は、ＰＴＴスイッチ１０１が押下されたときの時刻情報に対応させて、ＰＴＴスイッチ１０１が押下された旨の情報（ＰＴＴ信号Ｓ１０１有の情報）と、後述する送信出力検波信号Ｓ１０８有無の情報及び音声検出信号Ｓ１１０有無の情報とを記憶部１０３へ記録する。
【００１８】
送信状態において、マイク１０４から出力された音声信号Ｓ１０４は信号処理部１０５で波形整形され、変調部１０６で搬送波と合成されて送信出力信号が生成される。生成された送信出力信号は、高周波部１０７で適切な送信電力へ増幅されるとともに不要な周波数成分が取り除かれ、アンテナ１０９から電波として放射される。
また、変調部１０６からの送信出力信号の一部は、高周波部１０７で分波されて送信出力検波回路１０８に入力される。送信出力検波回路１０８は、送信出力の検出結果（送信出力の有無）である送信出力検波信号Ｓ１０８を制御部１０２へ入力する。つまり、無線機の送信状態の有無を制御部１０２へ入力する。
制御部１０２は、送信出力が有（送信状態有）となったときの時刻情報に対応させて、送信出力が有となった旨の情報（送信出力検波信号Ｓ１０８有の情報）と、ＰＴＴ信号Ｓ１０１有無の情報と、後述する音声検出信号Ｓ１１０有無の情報とを記憶部１０３へ記録する。
【００１９】
一方、マイク１０４から出力された音声信号Ｓ１０４は、無線機の送信状態と関係なく、音声信号の有無を検出する音声検出回路１１０に入力される。音声検出回路１１０は、音声信号の有無を示す検出結果である音声検出信号Ｓ１１０を、制御部１０２へ入力する。
制御部１０２は、音声信号が有となったときの時刻情報に対応させて、音声信号が有となった旨の情報（音声検出信号Ｓ１１０有の情報）と、ＰＴＴ信号Ｓ１０１有無の情報と、送信出力検波信号Ｓ１０８有無の情報とを記憶部１０３へ記録する。このようにして、音声信号が有となった旨の情報は、無線機の送信状態と関係なく、記憶部１０３へ記録される。
【００２０】
このとき制御部１０２は、例えば、ＰＴＴスイッチ１０１が押下される時刻以前に音声検出信号Ｓ１１０有を検出した場合、又は、ＰＴＴスイッチ１０１が押下された後、送信準備が完了するまでの期間（送信出力検波信号Ｓ１０８が有となるまでの期間）に音声検出信号Ｓ１１０有を検出した場合等に、送話時の頭切れが発生したことを知らせる警告を、無線機の使用者へ報知する。すなわち、送信出力検波信号Ｓ１０８が有となる前に音声検出信号Ｓ１１０有を検出した場合等に、送話時の頭切れが発生したことを知らせる警告を、無線機の使用者へ報知する。どのような場合に送話時の頭切れが発生したと判定するかについては後述する。
警告の報知方法としては、頭切れが発生した旨を表示部１１１に表示させるか、又は、スピーカ１１２から警告音を鳴動させるか、あるいは、その両者を実施する。
【００２１】
次に、ＰＴＴスイッチ１０１が押下される前に音声が入力された場合の、送話時の頭切れ判定方法について説明する。図２は、本実施形態においてＰＴＴスイッチ１０１が押下される前に音声が入力された場合の各信号波形を示す図である。
図２において、２０１は、ＰＴＴ信号Ｓ１０１の立上り、つまりＰＴＴスイッチ１０１が押下された時点（時刻ｔ２）を示す。２０２は、送信出力検波信号Ｓ１０８の立上り、つまり送信出力検波回路１０８からの検出結果が送信出力有となった時点（時刻ｔ３）を示す。２０４は、音声検出信号Ｓ１１０の立上り、つまりマイク１０４から出力された音声信号Ｓ１０４が音声検出回路１１０で検出された時点（時刻ｔ１）を示す。２０３は、音声信号Ｓ１０４の立上り、つまりマイク１０４に音声が入力開始された時点（時刻ｔ１）を示す。
【００２２】
ＰＴＴスイッチ１０１が押下されＰＴＴ信号Ｓ１０１の立上り２０１を検出すると、制御部１０２は、待受け状態から送信状態への切替を開始し、送信周波数への周波数の固定等の送信準備が完了するまでの送信立上り時間Ｔ１（ｍｓ）後に、無線機を送信状態にする。送信状態になると、送信出力検波信号Ｓ１０８が立上る。
【００２３】
このとき、図２に示すとおり、ＰＴＴスイッチ１０１が押下される前に音声信号Ｓ１０４が出力されると、音声信号Ｓ１０４の立上り２０３から送信出力検波信号Ｓ１０８の立上り２０２までのＴ３（ｍｓ）の期間において、音声信号Ｓ１０４は送信されず頭切れとなり、受信側で音声を聞くことができない。
【００２４】
図２において、Ｓ２０は、時刻ｔ１より前の状態であり、ＰＴＴ信号Ｓ１０１、送信出力検波信号Ｓ１０８、音声検出信号Ｓ１１０がいずれも無の待受け状態である。Ｓ２１は、時刻ｔ１からｔ２までの状態であり、ＰＴＴ信号Ｓ１０１と送信出力検波信号Ｓ１０８が無、音声検出信号Ｓ１１０が有の状態である。Ｓ２２は、時刻ｔ２からｔ３までの状態であり、ＰＴＴ信号Ｓ１０１が有、送信出力検波信号Ｓ１０８が無、音声検出信号Ｓ１１０が有の状態である。Ｓ２３は、時刻ｔ３以降の状態であり、ＰＴＴ信号Ｓ１０１、送信出力検波信号Ｓ１０８、音声検出信号Ｓ１１０がいずれも有の状態である。
【００２５】
待受け状態Ｓ２０において、ＰＴＴスイッチ１０１押下前にマイク１０４から音声信号Ｓ１０４が出力されると、音声検出回路１１０が出力した音声検出信号Ｓ１１０の立上り２０４が制御部１０２へ入力され、ＰＴＴ信号Ｓ１０１と送信出力検波信号Ｓ１０８が無、音声検出信号Ｓ１１０が有の状態Ｓ２１へ遷移する。
このとき、制御部１０２は、音声信号Ｓ１０４が有（音声検出信号Ｓ１１０が有）となったときの時刻情報に対応させて、ＰＴＴスイッチ１０１が押下されてない旨の情報（ＰＴＴ信号Ｓ１０１が無の情報）、送信出力が有でない旨の情報（送信出力検波信号Ｓ１０８が無の情報）、音声信号が有である旨の情報（音声検出信号Ｓ１１０が有の情報）を、記憶部１０３へ記録する。
【００２６】
状態Ｓ２１において、ＰＴＴスイッチ１０１が押下され、ＰＴＴ信号Ｓ１０１の立上り２０１が制御部１０２へ入力されると、待受け状態から送信状態への切替が始まり、送信周波数への周波数の固定等の送信準備が開始される。また、ＰＴＴスイッチ１０１が押下されることにより、ＰＴＴ信号Ｓ１０１が有、送信出力検波信号Ｓ１０８が無、音声検出信号Ｓ１１０が有の状態Ｓ２２へ遷移する。
このとき、制御部１０２は、ＰＴＴスイッチ１０１が押下されたとき（ＰＴＴ信号Ｓ１０１が有となったとき）の時刻情報に対応させて、ＰＴＴスイッチ１０１が押下されている旨の情報（ＰＴＴ信号Ｓ１０１が有の情報）、送信出力が有でない旨の情報（送信出力検波信号Ｓ１０８が無の情報）、音声信号が有である旨の情報（音声検出信号Ｓ１１０が有の情報）を、記憶部１０３へ記録する。
【００２７】
状態Ｓ２２において、ＰＴＴスイッチ１０１が押下されてから送信周波数への周波数の固定等の送信準備が完了するまでの送信立上り時間Ｔ１（ｍｓ）が経過すると、送信出力検波信号Ｓ１０８の立上り２０２が制御部１０２へ入力され、ＰＴＴ信号Ｓ１０１、送信出力検波信号Ｓ１０８、音声検出信号Ｓ１１０がいずれも有の状態Ｓ２３へ遷移する。
このとき、制御部１０２は、送信出力が有となったとき（送信出力検波信号Ｓ１０８が有となったとき）の時刻情報に対応させて、ＰＴＴスイッチ１０１が押下されている旨の情報（ＰＴＴ信号Ｓ１０１が有の情報）、送信出力が有である旨の情報（送信出力検波信号Ｓ１０８が有の情報）、音声信号が有である旨の情報（音声検出信号Ｓ１１０が有の情報）を、記憶部１０３へ記録する。
【００２８】
このように制御部１０２は、ＰＴＴ信号Ｓ１０１、送信出力検波信号Ｓ１０８、音声検出信号Ｓ１１０の状態に変化がある度に、それらの状態を、状態変化したときの時刻情報とともに記憶部１０３へ記録しておく。制御部１０２は、記憶部１０３へ記録した状態遷移を監視し、例えば、状態遷移が、ＰＴＴ信号Ｓ１０１、送信出力検波信号Ｓ１０８、音声検出信号Ｓ１１０がいずれも無の待受け状態Ｓ２０から、ＰＴＴ信号Ｓ１０１と送信出力検波信号Ｓ１０８が無、音声検出信号Ｓ１１０が有の状態Ｓ２１、ＰＴＴ信号Ｓ１０１が有、送信出力検波信号Ｓ１０８が無、音声検出信号Ｓ１１０が有の状態Ｓ２２、ＰＴＴ信号Ｓ１０１、送信出力検波信号Ｓ１０８、音声検出信号Ｓ１１０がいずれも有の状態Ｓ２３へ遷移した場合に、頭切れが発生していると判定して無線機の表示部１１１への頭切れ発生の警告表示、またはスピーカ１１２から頭切れ発生の警告音を鳴動させる。
【００２９】
つまり、制御部１０２は、待受け状態Ｓ２０から、状態Ｓ２１、状態Ｓ２２、状態Ｓ２３への遷移を検出した場合に、頭切れが発生していると判定して警告を行う。
あるいは、制御部１０２は、待受け状態Ｓ２０から、状態Ｓ２１、状態Ｓ２３への遷移を検出した場合に、頭切れが発生していると判定して警告を行うようにすることもできる。
あるいは、制御部１０２は、待受け状態Ｓ２０から、状態Ｓ２２、状態Ｓ２３への遷移を検出した場合に、頭切れが発生していると判定して警告を行うようにすることもできる。
あるいは、制御部１０２は、状態Ｓ２２から状態Ｓ２３への遷移を検出した場合に、頭切れが発生していると判定して警告を行うようにすることもできる。
あるいは、制御部１０２は、状態Ｓ２１から状態Ｓ２３への遷移を検出した場合に、頭切れが発生していると判定して警告を行うようにすることもできる。
【００３０】
あるいは、制御部１０２は、ＰＴＴ信号Ｓ１０１と送信出力検波信号Ｓ１０８が無、音声検出信号Ｓ１１０が有の状態Ｓ２１を検出した場合に、頭切れが発生していると判定して警告を行うようにすることもできる。
あるいは、制御部１０２は、ＰＴＴ信号Ｓ１０１が有、送信出力検波信号Ｓ１０８が無、音声検出信号Ｓ１１０が有の状態Ｓ２２を検出した場合に、頭切れが発生していると判定して警告を行うようにすることもできる。
あるいは、制御部１０２は、状態Ｓ２１又は状態Ｓ２２を検出した場合、つまり、ＰＴＴ信号Ｓ１０１の有無状態に拘らず、送信出力検波信号Ｓ１０８が無で、音声検出信号Ｓ１１０が有の状態を検出した場合に、頭切れが発生していると判定して警告を行うようにすることもできる。
【００３１】
次に、ＰＴＴスイッチ１０１が押下された後、送信出力が立上る前に音声が入力された場合の、送話時の頭切れ判定方法について説明する。図３は、本発明の実施形態においてＰＴＴスイッチ１０１が押下された後、送信出力が立上る前に音声が入力された場合の各信号波形を示す図である。
図３において、３０１は、ＰＴＴ信号Ｓ１０１の立上り、つまりＰＴＴスイッチ１０１が押下された時点（時刻ｔ１）を示す。３０２は、送信出力検波信号Ｓ１０８の立上り、つまり送信出力検波回路１０８からの検出結果が送信出力有となった時点（時刻ｔ３）を示す。３０４は、音声検出信号Ｓ１１０の立上り、つまりマイク１０４から出力された音声信号Ｓ１０４が音声検出回路１１０で検出された時点（時刻ｔ２）を示す。３０３は、音声信号Ｓ１０４の立上り、つまりマイク１０４に音声が入力開始された時点（時刻ｔ２）を示す。
【００３２】
ＰＴＴスイッチ１０１が押下されＰＴＴ信号Ｓ１０１の立上り３０１を検出すると、制御部１０２は、待受け状態から送信状態への切替を開始し、送信周波数への周波数の固定等の送信準備が完了するまでの送信立上り時間Ｔ１（ｍｓ）後に、無線機を送信状態にする。送信状態になると、送信出力検波信号Ｓ１０８が立上る。
【００３３】
このとき、図３に示すとおり、ＰＴＴスイッチ１０１が押下された後、送信出力検波信号Ｓ１０８が立上る前に音声信号Ｓ１０４が出力されると、音声信号Ｓ１０４の立上り３０３から送信出力検波信号Ｓ１０８の立上り３０２までのＴ３（ｍｓ）の期間において、音声信号Ｓ１０４は送信されず頭切れとなり、受信側で音声を聞くことができない。
【００３４】
図３において、Ｓ３０は、時刻ｔ１より前の状態であり、ＰＴＴ信号Ｓ１０１、送信出力検波信号Ｓ１０８、音声検出信号Ｓ１１０がいずれも無の待受け状態である。Ｓ３１は、時刻ｔ１からｔ２までの状態であり、ＰＴＴ信号Ｓ１０１が有、送信出力検波信号Ｓ１０８と音声検出信号Ｓ１１０が無の状態である。Ｓ３２は、時刻ｔ２からｔ３までの状態であり、ＰＴＴ信号Ｓ１０１が有、送信出力検波信号Ｓ１０８が無、音声検出信号Ｓ１１０が有の状態である。Ｓ３３は、時刻ｔ３以降の状態であり、ＰＴＴ信号Ｓ１０１、送信出力検波信号Ｓ１０８、音声検出信号Ｓ１１０がいずれも有の状態である。
【００３５】
待受け状態Ｓ３０において、ＰＴＴスイッチ１０１が押下されると、待受け状態から送信状態への切替が始まり、送信周波数への周波数の固定等の送信準備が開始される。また、ＰＴＴ信号Ｓ１０１が有、送信出力検波信号Ｓ１０８と音声検出信号Ｓ１１０が無の状態Ｓ３１へ遷移する。
このとき、制御部１０２は、ＰＴＴスイッチ１０１が押下されたとき（ＰＴＴ信号Ｓ１０１が有となったとき）の時刻情報に対応させて、ＰＴＴスイッチ１０１が押下されている旨の情報（ＰＴＴ信号Ｓ１０１が有の情報）、送信出力が有でない旨の情報（送信出力検波信号Ｓ１０８が無の情報）、音声信号が有でない旨の情報（音声検出信号Ｓ１１０が無の情報）を、記憶部１０３へ記録する。
【００３６】
状態Ｓ３１において、マイク１０４から音声信号Ｓ１０４が出力されると、音声検出信号Ｓ１１０の立上り３０４が制御部１０２へ入力され、ＰＴＴ信号Ｓ１０１が有、送信出力検波信号Ｓ１０８が無、音声検出信号Ｓ１１０が有の状態Ｓ３２へ遷移する。
このとき、制御部１０２は、音声検出信号Ｓ１１０が立上ったとき（音声検出信号Ｓ１１０が有となったとき）の時刻情報に対応させて、ＰＴＴスイッチ１０１が押下されている旨の情報（ＰＴＴ信号Ｓ１０１が有の情報）、送信出力が有でない旨の情報（送信出力検波信号Ｓ１０８が無の情報）、音声信号が有である旨の情報（音声検出信号Ｓ１１０が有の情報）を、記憶部１０３へ記録する。
【００３７】
状態Ｓ３２において、ＰＴＴスイッチ１０１が押下されてから送信周波数への周波数の固定等の送信準備が完了するまでの送信立上り時間Ｔ１（ｍｓ）が経過すると、送信出力検波信号Ｓ１０８の立上り３０２が制御部１０２へ入力され、ＰＴＴ信号Ｓ１０１、送信出力検波信号Ｓ１０８、音声検出信号Ｓ１１０がいずれも有の状態Ｓ３３へ遷移する。
このとき、制御部１０２は、送信出力が有となったとき（送信出力検波信号Ｓ１０８が有となったとき）の時刻情報に対応させて、ＰＴＴスイッチ１０１が押下されている旨の情報（ＰＴＴ信号Ｓ１０１が有の情報）、送信出力が有である旨の情報（送信出力検波信号Ｓ１０８が有の情報）、音声信号が有である旨の情報（音声検出信号Ｓ１１０が有の情報）を、記憶部１０３へ記録する。
【００３８】
このように制御部１０２は、ＰＴＴ信号Ｓ１０１、送信出力検波信号Ｓ１０８、音声検出信号Ｓ１１０の状態に変化がある度に、それらの状態を、状態変化したときの時刻情報とともに記憶部１０３へ記録しておく。制御部１０２は、記憶部１０３へ記録した状態遷移を監視し、例えば、状態遷移が、ＰＴＴ信号Ｓ１０１、送信出力検波信号Ｓ１０８、音声検出信号Ｓ１１０がいずれも無の待受け状態Ｓ３０から、ＰＴＴ信号Ｓ１０１が有、送信出力検波信号Ｓ１０８と音声検出信号Ｓ１１０が無の状態Ｓ３１、ＰＴＴ信号Ｓ１０１が有、送信出力検波信号Ｓ１０８が無、音声検出信号Ｓ１１０が有の状態Ｓ３２、ＰＴＴ信号Ｓ１０１、送信出力検波信号Ｓ１０８、音声検出信号Ｓ１１０がいずれも有の状態Ｓ３３へ遷移した場合に、頭切れが発生していると判定して無線機の表示部１１１への頭切れ発生の警告表示、またはスピーカ１１２から頭切れ発生の警告音を鳴動させる。
【００３９】
つまり、制御部１０２は、待受け状態Ｓ３０から、状態Ｓ３１、状態Ｓ３２、状態Ｓ３３への遷移を検出した場合に、頭切れが発生していると判定して警告を行う。
あるいは、制御部１０２は、待受け状態Ｓ３０から、状態Ｓ３２、状態Ｓ３３への遷移を検出した場合に、頭切れが発生していると判定して警告を行うようにすることもできる。
あるいは、制御部１０２は、状態Ｓ３２から状態Ｓ３３への遷移を検出した場合に、頭切れが発生していると判定して警告を行うようにすることもできる。
【００４０】
あるいは、制御部１０２は、ＰＴＴ信号Ｓ１０１が有、送信出力検波信号Ｓ１０８が無、音声検出信号Ｓ１１０が有の状態Ｓ３２を検出した場合に、頭切れが発生していると判定して警告を行うようにすることもできる。
【００４１】
本実施形態によれば、少なくとも次の（１）〜（４）の効果を得ることができる。
（１）送話時に頭切れになっていることを送話者に知らせることができるので、頭切れしていることを送話者が認識でき、送話者がＰＴＴスイッチを押下するタイミングと音声入力を開始するタイミングについて自ら調整することが可能となり、送話時の頭切れを抑制することができる。
（２）頭切れが発生していることを、ＰＴＴ信号Ｓ１０１が有、送信出力検波信号Ｓ１０８が無、音声検出信号Ｓ１１０が有の状態に基づき判断するよう構成した場合は、頭切れ発生を、簡易かつ確実に判断することができる。またこの場合、ＰＴＴ信号Ｓ１０１が有、送信出力検波信号Ｓ１０８が無、音声検出信号Ｓ１１０が有の状態が揃った時点で判断するので、頭切れ発生を迅速に判断することができる。
（３）頭切れが発生していることを、ＰＴＴ信号Ｓ１０１が有、送信出力検波信号Ｓ１０８が無、音声検出信号Ｓ１１０が有の状態から、ＰＴＴ信号Ｓ１０１、送信出力検波信号Ｓ１０８、音声検出信号Ｓ１１０がいずれも有の状態へ遷移したことにより判断するよう構成した場合は、頭切れ発生を、前述の（２）よりも確実に判断することができる。例えば、ＰＴＴスイッチが押下されてから送信出力検波信号Ｓ１０８が有となるまでに時間を要するシステムにおいても確実に頭切れと判断することができる。
（４）頭切れが発生していることを、ＰＴＴ信号Ｓ１０１、送信出力検波信号Ｓ１０８、音声検出信号Ｓ１１０がいずれも無の待受け状態から、ＰＴＴ信号Ｓ１０１が有、送信出力検波信号Ｓ１０８が無、音声検出信号Ｓ１１０が有の状態を経て、ＰＴＴ信号Ｓ１０１、送信出力検波信号Ｓ１０８、音声検出信号Ｓ１１０がいずれも有の状態へ遷移したことにより判断するよう構成した場合は、頭切れ発生を、前述の（３）よりも確実に判断することができる。
【００４２】
なお、本発明は、前記実施形態に限定されるものではなく、その要旨を逸脱しない範囲で種々に変更が可能であることはいうまでもない。
前記実施形態では、ＰＴＴスイッチが押下されなくてもマイクからの音声信号が処理されて送信されるように構成したが、ＰＴＴスイッチが押下されていない間は音声信号が送信されず、ＰＴＴスイッチが押下されている間のみ音声信号が送信されるよう構成することもできる。
また、本発明は、本発明に係る処理を実行する装置としてだけでなく、方法として、或いは、このような方法を実現するためのプログラムや当該プログラムを記録する記録媒体などとして把握することができる。
【００４３】
本明細書には、少なくとも次の発明が含まれる。
第１の発明は、
無線機を送信状態にする送信スイッチ（ＰＴＴスイッチ）と、
音声が入力されると音声信号を出力するマイクと、
前記マイクから出力される音声信号の有無を検出する音声検出部と、
前記マイクから出力される音声信号に基づき送信出力信号を生成する変調部と、
前記変調部から出力される送信出力信号に基づき、当該無線機の送信状態の有無を検出する送信状態検出部と、
前記音声検出部で音声信号有が検出され、かつ前記送信状態検出部で送信状態無が検出された場合に、送話の頭切れが発生したと判定する制御部と、
を備えることを特徴とする無線機。
【００４４】
第２の発明は、
前記第１の発明における無線機であって、
前記制御部は、前記送信スイッチが押下状態において、前記音声検出部で音声信号有が検出され、かつ前記送信状態検出部で送信状態無が検出された場合に、送話の頭切れが発生したと判定することを特徴とする無線機。
【００４５】
第３の発明は、
前記第１の発明又は前記第２の発明における無線機であって、
表示部又はスピーカを備え、
前記制御部は、送話の頭切れが発生したと判定した場合に、送話の頭切れが発生したことを前記表示部に表示、又は、送話の頭切れが発生したことを報知する警告音を前記スピーカから鳴動させることを特徴とする無線機。
【００４６】
第４の発明は、
無線機を送信状態にする送信スイッチ（ＰＴＴスイッチ）と、
音声が入力されると音声信号を出力するマイクと、
前記マイクから出力される音声信号の有無を検出する音声検出部と、
前記マイクから出力される音声信号に基づき送信出力信号を生成する変調部と、
前記変調部から出力される送信出力信号に基づき、当該無線機の送信状態の有無を検出する送信状態検出部と、
送話の頭切れ発生を判定する制御部とを備え、
前記制御部は、
前記送信スイッチが押下され、かつ前記音声検出部で音声信号有が検出され、かつ前記送信状態検出部で送信状態無が検出された状態から、前記送信スイッチが押下され、かつ前記音声検出部で音声信号有が検出され、かつ前記送信状態検出部で送信状態有が検出された状態へ遷移したことにより、送話の頭切れが発生したと判定することを特徴とする無線機。
【００４７】
第５の発明は、
前記第４の発明における無線機であって、
前記制御部は、
前記送信スイッチが押下されてなく、かつ前記音声検出部で音声信号無が検出され、かつ前記送信状態検出部で送信状態無が検出された状態から、前記送信スイッチが押下され、かつ前記音声検出部で音声信号有が検出され、かつ前記送信状態検出部で送信状態無が検出された状態を経て、前記送信スイッチが押下され、かつ前記音声検出部で音声信号有が検出され、かつ前記送信状態検出部で送信状態有が検出された状態へ遷移したことにより、送話の頭切れが発生したと判定することを特徴とする無線機。
【符号の説明】
【００４８】
１０１：ＰＴＴスイッチ（送信スイッチ）、１０２：制御部、１０３：記憶部、１０４：マイク、１０５：信号処理部、１０６：変調部、１０７：高周波部、１０８：送信出力検波回路（送信状態検出部）、１０９：アンテナ、１１０：音声検出回路（音声検出部）、１１１：表示部、１１２：スピーカ、４０１：ＰＴＴスイッチ、４０２：制御部、４０４：マイク、４０５：信号処理部、４０６：変調部、４０７：高周波部、４０８：送信出力検波回路、４０９：アンテナ、Ｓ１０１：ＰＴＴ信号、Ｓ１０４：音声信号、Ｓ１０８：送信出力検波信号、Ｓ１１０：音声検出信号。
【図１】
2013066090.tif 000003
【図２】
2013066090.tif 000004
【図３】
2013066090.tif 000005
【図４】
2013066090.tif 000006
【図５】
2013066090.tif 000007